(57)【要約】【課題】装飾部材が待機部に戻り飾り枠と可動体の磁着体が吸着するとき、駆動手段を停止して装飾部材を一旦止めてから両磁着体が吸着されるようにして装飾部材を衝撃から保護するようにしたパチンコ遊技機を提供する。【解決手段】変動表示装置１１の表示部１２の周囲を囲う飾り枠１９にその前面に沿って往復動する可動体２６ａ，２６ｂを配置し、該可動体２６ａ，２６ｂに装飾部材２４を取着し、装飾部材２４は可動体２６ａ，２６ｂを駆動手段３９により往復動させることによって飾り枠１９に設けられる待機部ｗを基点として作動し、可動体２６ａ，２６ｂと飾り枠１９とに装飾部材２４が待機部ｗに戻ったとき互いに吸着する磁着体４３，４４を固着し、駆動手段３９は装飾部材２４が待機部ｗに戻り可動体２６ａ，２６ｂの磁着体４３が飾り枠１９の磁着体４４に吸着する前であってかつ吸着し得る位置に達したとき停止するようにした。【選択図】図４
2009261829.tif 000002
【特許請求の範囲】
【請求項１】
図柄を変動表示する表示部を備えた変動表示装置を遊技盤面に装着してなるパチンコ遊技機であって、
前記表示部の周囲を囲う飾り枠に該表示部の前面に沿って往復動する可動体を配置すると共に該可動体に装飾部材を取着し、前記装飾部材は前記可動体を駆動手段により往復動させることによって前記飾り枠に設けられる待機部を基点として作動し、前記可動体と飾り枠にそれぞれ前記装飾部材が前記待機部に戻ったとき互いに吸着する磁着体を固着し、前記駆動手段は前記装飾部材が待機部に戻り前記可動体の磁着体が前記飾り枠の磁着体に吸着する前であってかつ該飾り枠の磁着体に吸着し得る位置に達したとき停止するように設定されていることを特徴とするパチンコ遊技機。
【請求項２】
前記可動体は一対の吊り下げ部材であってかつこれら吊り下げ部材はそれぞれ互いに軸着される吊り下げ上部材と吊り下げ下部材とからなり、
前記両吊り下げ上部材の上端部を前記飾り枠に軸着すると共に前記両吊り下げ下部材の下端部を前記装着部材に軸着し、前記一対の吊り下げ部材は駆動手段により上下に伸縮動し、前記吊り下げ下部材に前記装飾部材が前記待機部に戻ったとき前記飾り枠の磁着体と吸着する磁着体を固着した請求項１記載のパチンコ遊技機。
【発明の詳細な説明】
【技術分野】
【０００１】
本発明は、数字、記号等の図柄を変動表示する変動表示装置を備えたパチンコ遊技機に関するものである。
【背景技術】
【０００２】
従来、例えば、この種のパチンコ遊技機として次に示すものがある。すなわち、該パチンコ遊技機は、遊技盤の前面に変動表示装置が装着され、該変動表示装置の表示部である電子ディスプレイの周囲に、該電子ディスプレイを囲うようにして飾り枠が装着されている。該飾り枠に電子ディスプレイの上方で軸着され該電子ディスプレイの前面に沿って振り子のように回動する棒状の可動体が配置され、該可動体の下端部に装飾部材が取着されている。該可動体は、駆動手段であるギアードモータにより飾り枠右側の待機部を基点として左右に往復回動する。前記可動体と飾り枠には、装飾部材が待機部に戻ったとき互いに吸着する磁着体が固着され、ギアードモータの駆動により演出動作が終了した装飾部材が待機部に戻ったとき、可動体の磁着体が飾り枠の磁着体に吸着して装飾部材を停止させるようにしている（例えば、特許文献１参照。）。
【０００３】
【特許文献１】特開２００３−１９０４０１号公報（第５−７頁、段落００２１−段落００３８、図３、図６）
【発明の開示】
【発明が解決しようとする課題】
【０００４】
前記特許文献１のパチンコ遊技機にあっては、ギアードモータの駆動により待機部に装飾部材が戻ったとき、可動体の磁着体が飾り枠の磁着体に「カチッ」といって吸着することにより、該装飾部材の停止時におけるふらつきやガタツキを無くすようにしている。しかしながら、装飾部材が停止するとき、飾り枠の磁着体に回動してきた可動体の磁着体が勢いよく衝突するように吸着するので、その都度これによる衝撃が装飾部材に加わることになる。このように装飾部材に幾度となく衝撃が加わると、例えば、可動体に対する装飾部材の取付状態が不安定になるばかりか、装飾部材にＬＥＤといった発光体が取着されている場合には、該発光体に悪影響を及ぼすといった課題がある。
【０００５】
そこで、本発明は、前記課題に鑑みてなされたもので、装飾部材が待機部に戻り飾り枠と可動体との磁着体がそれぞれ吸着するとき、駆動手段を停止し装飾部材を一旦止めてから両磁着体を吸着させることにより、装飾部材を衝撃から保護するようにしたパチンコ遊技機を提供することを目的とするものである。
【課題を解決するための手段】
【０００６】
かかる目的を達成するため本発明に係るパチンコ遊技機は、図柄を変動表示する表示部を備えた変動表示装置を遊技盤面に装着してなるパチンコ遊技機であって、前記表示部の周囲を囲う飾り枠に該表示部の前面に沿って往復動する可動体を配置すると共に該可動体に装飾部材を取着し、前記装飾部材は前記可動体を駆動手段により往復動させることによって前記飾り枠に設けられる待機部を基点として作動し、前記可動体と飾り枠にそれぞれ前記装飾部材が前記待機部に戻ったとき互いに吸着する磁着体を固着し、前記駆動手段は前記装飾部材が待機部に戻り前記可動体の磁着体が前記飾り枠の磁着体に吸着する前であってかつ該飾り枠の磁着体に吸着し得る位置に達したとき停止するように設定されていることを特徴とする。前記磁着体は、磁石及び鉄、コバルト、クロムまたはこれらの合金等の強磁性体を含み、前記可動体または飾り枠の磁着体には少なくとも一方に磁石が使用される。
【０００７】
この際、例えば、前記可動体は一対の吊り下げ部材であって、かつ、これら吊り下げ部材はそれぞれ互いに軸着される吊り下げ上部材と吊り下げ下部材とからなり、前記両吊り下げ上部材の上端部を前記飾り枠に軸着すると共に前記両吊り下げ下部材の下端部を前記装着部材に軸着し、前記一対の吊り下げ部材は前記駆動手段により上下に伸縮動し、前記吊り下げ下部材に前記装飾部材が前記待機部に戻ったとき前記飾り枠の磁着体と吸着する磁着体を固着した構成が採られる。
【発明の効果】
【０００８】
本発明に係るパチンコ遊技機は、表示部の周囲を囲う飾り枠に該表示部の前面に沿って往復動する可動体を配置すると共に該可動体に装飾部材を取着し、装飾部材は可動体を駆動手段により往復動させることによって飾り枠に設けられる待機部を基点として作動し、可動体と飾り枠にそれぞれ装飾部材が待機部に戻ったとき互いに吸着する磁着体を固着し、駆動手段は装飾部材が待機部に戻り可動体の磁着体が飾り枠の磁着体に吸着する前であってかつ該飾り枠の磁着体に吸着し得る位置に達したとき停止するように設定される。これにより、装飾部材が待機部に戻り飾り枠と可動体の磁着体が吸着するとき、その前に駆動手段を停止して装飾部材が一旦止められてから両磁着体が吸着されるので、両磁着体の吸着時の衝撃が緩和され、装飾部材をその衝撃から保護することができるという効果がある。特に、ＬＥＤといった発光体を載せた装飾部材にあっては極めて有益な効果を奏する。
【０００９】
また、前記可動体は一対の吊り下げ部材であってかつこれら吊り下げ部材はそれぞれ互いに軸着される吊り下げ上部材と吊り下げ下部材とから形成され、両吊り下げ上部材の上端部を飾り枠に軸着すると共に両吊り下げ下部材の下端部を装着部材に軸着し、一対の吊り下げ部材は駆動手段により上下に伸縮動し、吊り下げ下部材に装飾部材が待機部に戻ったとき飾り枠の磁着体と吸着する磁着体を固着した構成が採られる。このように、可動体が一対の吊り下げ部材からなり、しかも、各吊り下げ部材がそれぞれ吊り下げ上部材及び該吊り下げ上部材と軸着される吊り下げ下部材からなり、これら吊り下げ部材が上下方向に伸縮動する。よって、例えば、待機部から動作する装飾部材は、飾り枠の磁着体と可動体の磁着体とがその吸着力に抗して離れたとき、一瞬ストンと少し下方へ落ちるので、その速度に変化が持たせられ演出的にも面白さが与えられるという効果がある。
【発明を実施するための最良の形態】
【００１０】
以下、本発明に係るパチンコ遊技機の実施の形態を図面に基づき詳しく説明する。図１は本発明に係るパチンコ遊技機の正面図である。図中、１は外枠であり、その前面の遊技盤取付枠（図示せず。）に遊技盤２が配置されると共に、該遊技盤取付枠の前側に遊技盤２の前面を覆うようにして前面枠３が開閉自在に軸着される。該前面枠３には中央に前記遊技盤２の遊技部２ａが臨む窓開口４が開設され、該窓開口４に合成樹脂製またはガラス製の透明板を前後に配置した透明板ユニット５が装着される。そして、窓開口４を介して前側から前記遊技部２ａが視認できるようになっている。
【００１１】
前記前面枠３は合成樹脂により成形され、その前面であって窓開口４の下方に、前方へ張り出させるようにして打球発射部（図示せず。）に供給される遊技球を貯留する球受皿６が一体に設けられる。該球受皿６の一側上面に操作部６ａが設けられ、該操作部６ａに遊技者が遊技進行中の適時に、その遊技に参加できるように作動させる押ボタン７や選択キー８が設けられる。また、前面枠３の下部一側には、打球発射部から発射される打球の打球力を調整するための打球力調整ハンドル９が装着されている。
【００１２】
ガイドレール１０で囲まれる遊技盤２面の遊技部２ａに、そのほぼ中央で一側（図１では右側）に寄せて大型の変動表示装置１１が配設される。該変動表示装置１１の下方の遊技盤２面には、遊技部２ａに打ち込まれた遊技球が入賞することにより前記変動表示装置１１に内装される表示部としての電子ディスプレイ１２の表示画面１２ａに表示される数字、記号等の図柄を変動表示する始動入賞口１３が装着される。また、その下方に位置して前記変動した後に止まった図柄が例えば「７７７」に揃い、遊技者に有利な特別遊技状態、所謂「大当り」状態になったとき、一度に多くの入賞球を発生させる大入賞口１４が配設されている。
【００１３】
始動入賞口１３は一対の開閉翼片１３ａ，１３ａを有し、これらが起立して遊技球が入賞し難い状態と傾倒して遊技球が入賞し易い状態とに変換できるようになっている。１５は通過チャッカーであり、遊技球が通過することにより電気的に検出され、別途行なわれる「○×」の抽選の結果「○」の結果が示されると、前記開閉翼片１３ａ，１３ａが入賞し易いように一回開く。１６は一般入賞口、１７はガイドレール１０の内周縁に沿って配置される電飾を兼ねたレール飾りである。図１で変動表示装置１１の右側に、該変動表示装置１１とガイドレール１０とにより挟まれるようにして回り通路１８が形成される。遊技部２ａに打ち込まれ回り通路１８を流下する遊技球は、変動表示装置１１下方の右下側領域に達する。この右下側領域は、仮に、回り通路１８がないと、変動表示装置１１下方に隠れてしまいほとんど活用できない部位である。そこで、その右下側領域を有効に活用できるように、回り通路１８を設けて遊技球を流下させている。ちなみに、右下側領域には、一般入賞口１６ａが配設される。
【００１４】
前記変動表示装置１１は、電子ディスプレイ１２における表示画面１２ａの周囲を囲うように合成樹脂製の飾り枠１９が配設され、その開口２０を介して前側から前記表示画面１２ａが見られるようになっている。また、飾り枠１９における一側部には遊技盤２面を流下する遊技球を受け入れることができる所謂ワープ通路２１が配設され、その上端球入口２２から該ワープ通路２１内に入った遊技球は、飾り枠１９の下部に形成されたステージ２３上面に排出される。該ステージ２３の上面は、その長手方向（正面から見て左右横方向）に沿って上下に湾曲しかつ前側にやや下傾している。よって、ステージ２３上面に排出された遊技球は、ステージ２３の上面を減衰しながら左右に往復動し、最終的にはステージ２３の前端縁から落下して遊技盤２面に戻る。このうち、前記ステージ２３の中央から落下した遊技球は、必然的に始動入賞口１３に入賞する機会が多くなる。
【００１５】
そこで、前記始動入賞口１３に遊技球が入賞すると、電子ディスプレイ１２の表示画面１２ａに表示される数字、文字等の図柄が変動を開始し、一定時間経過後に停止する。このとき、停止した図柄が例えば「７７７」といった特定の図柄に揃うと、遊技者に有利な特別遊技状態となり、始動入賞口１３下方の大入賞口１４の開閉板１４ａが前方へ傾動して遊技球を受け入れる。この動作は、一定の条件の下で所定ラウンド（例えば、１６回）繰り返され、一度に多くの入賞球が得られるようになっている。
【００１６】
本発明にあっては、図２、図３に示すように飾り枠１９にゲーム性に合わせて上下に演出動作する装飾部材２４が装着される。次に、該装飾部材２４について説明する。図４乃至図６に示すように、飾り枠１９の上部に前側板２５ａと該前側板２５ａと所定の間隔離して平行に位置する後側板２５ｂとが配設され、その間に可動体として左右一対の吊り下げ部材２６ａ，２６ｂが介在される。各吊り下げ部材２６ａ，２６ｂは、それぞれ下端部と上端部とが軸着される上下の吊り下げ上・下部材２７ａ，２７ｂからなる。よって、両吊り下げ下部材２７ｂ，２７ｂは、両吊り下げ上部材２７ａ，２７ａに対して自在に回動することになる。
【００１７】
更に詳しく説明すると、図４及び図５に示すように、両吊り下げ部材２６ａ，２６ｂにおける各吊り下げ上部材２７ａの上端部は、後側板２５ｂから前方へ突出する支軸２８により回動自在に軸着され、下端部は吊り下げ下部材２７ｂの上端部に支軸４２により回動自在に軸着される。また、両吊り下げ上部材２７ａ，２７ａの上端部は互いに近接して配置され、それら対向する側面に互いに支軸２８，２８を中心として噛合する円弧状歯部２９ａ，２９ｂが設けられている。
【００１８】
これに対し、両吊り下げ下部材２７ｂ，２７ｂの下端部は、前記装飾部材２４の下部裏面であってその左右両側寄りに突出する支軸３０に軸着されている。これにより、装飾部材２４が、両吊り下げ下部材２７ｂ，２７ｂ間に差し渡すようにして取着される。また、両吊り下げ下部材２７ｂ，２７ｂの下端部の対向する側面にも、互いにそれら支軸３０，３０を中心として噛合する円弧状歯部３１ａ，３１ｂが設けられている。更に、両吊り下げ下部材２７ｂ，２７ｂの下端部間に介在するようにして、２個の中間歯車３２，３２が装飾部材２４の後面から突出する支軸３３，３３に軸着される。両中間歯車３２，３２は互いに噛合し、かつ、それぞれ両吊り下げ下部材２７ｂ，２７ｂ下端部の円弧状歯部３１ａ，３１ｂと噛合している。
【００１９】
前記一方の吊り下げ部材２６ａ（図４において左側）における吊り下げ上部材２７ａに、その長手方向に沿って直線状の長孔３４が貫設される。該長孔３４には、後記する従動歯車３８の前側面に突設される係合ピン４１が遊嵌する。また、図５（イ）に示すように、同じ側の後側板２５ｂに後方へ窪む凹窪み部３５が形成され、該凹窪み部３５内に駆動歯車３６と後側板２５ｂに突設される支軸３７に軸着され駆動歯車３６と噛合する大径の従動歯車３８が配置される。駆動歯車３６は、その後側に配置される駆動モータ３９（この場合、ステッピングモータが使用される。）のモータ軸４０に直結されている。そして、従動歯車３８の前側面に、前記長孔３４に遊嵌する係合ピン４１が突設される。
【００２０】
そこで、駆動モータ３９を駆動させると従動歯車３８が一方向へ回動し、それに伴い係合ピン４１が長孔３４内を移動する。これにより、長孔３４を備えた一方の吊り下げ上部材２７ａが、その上端部の支軸２８を中心として上下方向へ往復回動する。同時に、これと上端部で噛合する他方の吊り下げ上部材２７ａも、上端部の支軸２８を中心として往復回動する。この場合、一方の吊り下げ上部材２７ａと他方の吊り下げ上部材２７ａとは互いに離れるか、逆に、互いに接近するように回動する。
【００２１】
両吊り下げ部材２６ａ，２６ｂにおける両吊り下げ上部材２７ａ，２７ａが互いに離れるように回動すると、両吊り下げ上部材２７ａ，２７ａの下端部すなわち吊り下げ下部材２７ｂ，２７ｂの上端部の支軸４２，４２を中心として、吊り下げ下部材２７ｂ，２７ｂが上方へ回動する。これにより、装飾部材２４をそのまま真直ぐ引き上げることになる。これに対し、両吊り下げ上部材２７ａ，２７ａが互いに接近するように回動すると、両吊り下げ上部材２７ａ，２７ａの下端部すなわち吊り下げ下部材２７ｂ，２７ｂの上端部の支軸４２が下方へ下がりつつ近づく。これにより、装飾部材２４を下方へ引き下げることになる。
【００２２】
両吊り下げ部材２６ａ，２６ｂにおける吊り下げ下部材２７ｂ，２７ｂには、その上面の所定の位置に磁着体としての磁石４３が取着されている。これに対し、飾り枠１９の前側板２５ａの後側面に、前記各磁石４３に対応位置させて互いに対向面が異極となって吸着し得る磁着体としての磁石４４が取着されている。両吊り下げ上部材２７ａ，２７ａが互いに離れるように回動するとき装飾部材２４は上動するが、図５（ロ）に示すように前記両吊り下げ下部材２７ｂ，２７ｂの磁石４３，４３が前側板２５ａの後側面に固着された磁石４４，４４に吸着したとき、装飾部材２４は飾り枠１９上部の待機部ｗにあってその所定の上端位置（待機位置）が決められる。
【００２３】
このように、装飾部材２４を上端位置（待機位置）と下端位置とで停止させるとき、駆動モータ３９を止めることになる。そこで、該駆動モータ３９がステッピングモータであることから、装飾部材２４を下端位置で停止させるときは、その下端位置に合わせてあらかじめステッピングモータ３９のモータ軸４０の回転量を設定しておき、その設定位置に達したときに駆動モータ３９の電源を切るようにする。また、図示は省略するが、装飾部材２４の上端位置は、該装飾部材２４を検出する検出器を配置し、あらかじめ設定された上端位置に装飾部材２４が達するとき、前記検出器でその上動する装飾部材２４を検知して駆動モータ３９の電源を切る。正確には、両吊り下げ下部材２７ｂ，２７ｂの両磁石４３，４３が、前側板２５ａの両磁石４４，４４に吸着する前であってかつ該前側板２５ａの両磁石４４，４４に吸着し得る位置に達したときである。これらは、図示しない中央制御部により制御されることになる。
【００２４】
前記装飾部材２４は、両吊り下げ部材２６ａ，２６ｂにおける両吊り下げ下部材２７ｂ，２７ｂの下端部が軸着される基板２４ａと、その上端縁から上方へ一体に突出する略半円形状の環状枠２４ｂと、から形成され、該環状枠２４ｂに凸レンズ部材４５が取り付けられている。この凸レンズ部材４５は装飾部材２４が下端位置に達したとき、丁度、電子ディスプレイ１２の表示画面１２ａの前面に位置して重なっており、その凸レンズ部材４５に対応して表示画面１２ａに映し出される図柄を拡大することになる。
【００２５】
長孔３４を有する前記一方の吊り下げ上部材２７ａの上端側とこれと対向位置する飾り枠１９の上部との間には、引っ張りスプリング４６が掛け止めされている。なぜならば、装飾部材２４の重量が重いと、該装飾部材２４を下端位置から上端位置へ上げるときに駆動モータ３９に大きな負荷が掛かる虞がある。そこで、引っ張りスプリング４６により吊り下げ上部材２７ａを上から引くようにして、装飾部材２４を引き上げるときの駆動モータ３９に掛かる負荷を軽減している。
【００２６】
本発明に係るパチンコ遊技機は上記構成からなり、次に作用について説明する。遊技中の常態では、図２、図４に示すように一対の吊り下げ部材２６ａ，２６ｂが収縮して、両吊り下げ下部材２７ｂ，２７ｂの磁石４３，４３が飾り枠１９における前側板２５ａ後側面の磁石４４，４４に吸着し、装飾部材２４が待機部ｗの所定の上端位置に位置ずれを起こすことなくしっかりと保持され停止している。そして、ゲーム中であって、演出すべく電子ディスプレイ１２の表示画面１２ａに映し出される図柄を凸レンズ部材４５を通し拡大して見せたい場合は、駆動モータ３９が駆動する。これにより、駆動歯車３６を介して従動歯車３８が回動し、該従動歯車３８の係合ピン４１が一方の吊り下げ部材２６ａにおける吊り下げ上部材２７ａの長孔３４内を移動する。
【００２７】
更に、一方の吊り下げ部材２６ａと共に他方の吊り下げ部材２６ｂも同時に動作し、両吊り下げ上部材２７ａ，２７ａがそれら上端部の支軸２８，２８を中心として互いに接近するように回動する。同時に、前側板２５ａ両磁石４４，４４から両吊り下げ下部材２７ｂ，２７ｂの両磁石４３，４３がその吸着力に抗して離れる。また、これに伴い、吊り下げ下部材２７ｂ，２７ｂがそれら上端部の支軸４２，４２を中心として下方へ開くと共に、装飾部材２４をそのままの状態で下動させ演出動作させる。そして、駆動モータ３９が停止することにより、図３、図６に示すように装飾部材２４が所定位置、すなわち表示画面１２ａ前面の所定位置で停止する。
【００２８】
両吊り下げ部材２６ａ，２６ｂにおける吊り下げ上部材２７ａ，２７ａは、その上端部の円弧状歯部２９ａ，２９ｂが噛合して同時に左右対称に作動する。しかも、吊り下げ下部材２７ｂ，２７ｂの下端部が装飾部材２４の両側に支軸３０，３０により軸着されているので、装飾部材２４は両吊り下げ部材２６ａ，２６ｂの速い上下動作にも容易に連動し得る。よって、ゲーム性における動作要求に十分応えられる。しかも、駆動モータ３９に偏った負荷がほとんど加わらず、その寿命を延ばすことができる。
【００２９】
また、両吊り下げ部材２６ａ，２６ｂにおける吊り下げ下部材２７ｂ，２７ｂ下端部の対向する円弧状歯部３１ａ，３１ｂ間に、これらと噛合する２個の中間歯車３２，３２が介在されているので、吊り下げ下部材２７ｂ，２７ｂの下端部がそれら中間歯車３２，３２を介して連結されることになり、互いに上下にふら付くことがなく安定している。更に、従動歯車３８の係合ピン４１を吊り下げ上部材２７ａの長孔３４に遊嵌させその中を移動させることにより吊り下げ部材２６ａ，２６ｂを動作させるので、装飾部材２４の上下動する途中の速度に変化が与えられ、これにより視覚的に遊技の面白みが持たせられる。
【００３０】
更に、通常、重量のあるものは、一対の吊り下げ部材２６ａ，２６ｂを使用しても速く上下動させることは困難であるが、図８に示すようにその重量のあるもの（例えば、りんご）を表示画面１２ａに映し出すようにする。そして、装飾部材２４が下端位置で停止したとき、凸レンズ部材４５を通してそのりんごの図柄を見られるようにする。これにより、遊技者は装飾部材２４が下動して停止したとき、凸レンズ部材４５を通して急に拡大されたりんごを見ることとなり、恰も、そのりんごが落下したように見せかけることができ、遊技の面白みを増すことができる。
【００３１】
装飾部材２４が下端位置で所定の時間停止した後は、駆動モータ３９を駆動させ、両吊り下げ部材２６ａ，２６ｂを収縮させる。これにより、装飾部材２４がそのまま上動する。そして、装飾部材２４が待機部ｗの上端位置にくると、図７鎖線に示す位置、すなわち前側板２５ａの両磁石４４，４４に吊り下げ下部材２７ｂ，２７ｂの両磁石４３，４３が吸着する直前の位置で、駆動モータ３９が停止し同時に装飾部材２４も一旦停止する。この後は、一対の吊り下げ部材２６ａ，２６ｂの重量に抗し互いの吸着力のみによって、図７実線に示すように吊り下げ下部材２７ｂ，２７ｂの磁石４３，４３が前側板２５ａの磁石４４，４４に吸着することになる。このように、前側板２５ａ後側面に磁石４４，４４を設け、これら磁石４４，４４に吊り下げ下部材２７ｂ，２７ｂの両磁石４３，４３を吸着させるようにすれば、装飾部材２４の位置決めが簡単になるばかりか、装飾部材２４が待機部ｗの所定位置でふらつきやガタツキなく停止する。しかも、前側板２５ａ後側面の両磁石４４，４４に吊り下げ下部材２７ｂ，２７ｂの両磁石４３，４３が吸着される前に装飾部材２４が一旦停止するので、該装飾部材２４に加わる衝撃が緩和される。
【００３２】
また、一対の吊り下げ部材２６ａ，２６ｂがそれぞれ吊り下げ上部材２７ａ及び該吊り下げ上部材２７ａと軸着される吊り下げ下部材２７ｂからなり、これら吊り下げ部材２６ａ，２６ｂの吊り下げ上部材２７ａ，２７ａと吊り下げ下部材２７ｂ，２７ｂとが軸着され、しかも、上下方向に伸縮動作するので、待機部ｗから作動する装飾部材２４は、飾り枠１９の磁着体４４，４４と吊り下げ下部材２７ｂ，２７ｂの磁着体４３，４３とがその吸着力に抗して離れると、一瞬ストンと下方へ落ちることとなって、演出的にも面白さが与えられる。
【００３３】
このように、本発明に係るパチンコ遊技機Ａは、装飾部材２４が待機部ｗに戻り、飾り枠１９の磁着体４４，４４と一対の吊り下げ部材２６ａ，２６ｂの磁着体４３，４３とが吸着するとき、駆動モータ３９を停止して装飾部材２４が一旦止められてから両磁着体４３，４４が吸着されるようにしたので、両磁着体４３，４４の吸着時における衝撃が緩和される。これにより、装飾部材２４をその衝撃から保護することができる。特に、ＬＥＤといった発光体を載せた装飾部材にあっては有益である。
【００３４】
なお、吊り下げ下部材側と飾り枠側とに磁着体としていずれも磁石を使用したが、吊り下げ下部材側または飾り枠側の少なくとも一方に磁石を使用すれば、他方に該磁石に吸着する例えば鉄板またはクロム板等の強磁性体を使用するようにしても良い。また、一対の吊り下げ部材として、軸着された吊り下げ上・下部材を示したが、これに限定されるものではなく、他の構成であっても良い。装飾部材の往復動する方向は、鉛直、水平、該水平に対する斜めのいずれでも良い。駆動手段は駆動モータの他にソレノイドであっても良い。更に、装飾部材には凸レンズ部材を装着したが、必要な場合は凹レンズ部材を使用するようにしても良い。更にまた、両吊り下げ下部材の下端部間には、２個の中間歯車を配置したが、偶数個であれば４個、６個または８個であっても良いことは勿論である。
【図面の簡単な説明】
【００３５】
【図１】本発明に係るパチンコ遊技機の正面図。
【図２】装飾部材が上端位置にある飾り枠の前側から見た斜視図。
【図３】装飾部材が下端位置にある飾り枠の前側から見た斜視図。
【図４】装飾部材が上端位置にある飾り枠の正面図。
【図５】（イ）は図４のＸ−Ｘ線断面図、（ロ）は同Ｙ−Ｙ線断面図。
【図６】装飾部材が下端位置にある飾り枠の正面図。
【図７】前側板と吊り下げ部材にある各磁石の動作を示す要部の拡大正面図。
【図８】装飾部材の作用を示す遊技盤の正面図。
【符号の説明】
【００３６】
２        遊技盤
１１      変動表示装置
１２      表示部（電子ディスプレイ）
１９      飾り枠
２４      装飾部材
２６ａ    可動体（吊り下げ部材）
２６ｂ    可動体（吊り下げ部材）
２７ａ    吊り下げ上部材
２７ｂ    吊り下げ下部材
２８      支軸
３９      駆動手段（駆動モータ）
４２      支軸
４３      磁着体（磁石）
４４      磁着体（磁石）
Ａ        パチンコ遊技機
ｗ        待機部
【図１】
2009261829.tif 000003
【図２】
2009261829.tif 000004
【図３】
2009261829.tif 000005
【図４】
2009261829.tif 000006
【図５】
2009261829.tif 000007
【図６】
2009261829.tif 000008
【図７】
2009261829.tif 000009
【図８】
2009261829.tif 000010